(57)【要約】  本体（１）及び作業モジュール（２）を含む電子鼾防止具において、本体（１）は、一体としてつながる耳掛け（１１）及び耳栓（１２）を含む。作業モジュール（２）は前記耳掛け（１１）及び耳栓（１２）の内腔の中に位置し、作業モジュール（２）は、鼾音収集回路（２１）、マイクロプロセッサＭＣＵを中心とする制御回路（２２）、警告注意回路（２３）及び給電回路（２４）を含む。制御回路（２２）はその受信した音声や振動信号が各々の閾値に達したと判定すると、鼾音を抑制するため、制御信号を前記耳栓（１２）内に位置する警告注意回路（２３）に送信して、ユーザーを起こさせない程度の音声、震動又は電極による刺激信号を発生させる。この電子鼾防止具は、低消費電力の電子回路によって患者の鼾音をリアルタイムに検知するので、患者の鼾音及び鼾をかく場合の振動を非常に正確に収集する。刺激効果をリアルタイムに検査しており、鼾防止効果を達成し、患者に質のよい睡眠を達成させることができる。【選択図】図１
2016530033.tif 000002
【特許請求の範囲】
【請求項１】
本体（１）及びその内部に収納される作業モジュール（２）を含む電子鼾防止具において、
前記本体（１）は、ユーザーの耳介にかけられるための耳掛け（１１）及び耳孔に入れられるための耳栓（１２）を含み、前記耳掛け（１１）と前記耳栓（１２）とは一体としてつながり、前記作業モジュール（２）は前記耳掛け（１１）と前記耳栓（１２）による内腔の中に位置し、
前記作業モジュール（２）は、鼾音収集回路（２１）、マイクロプロセッサＭＣＵを中心とする制御回路（２２）、警告注意回路（２３）及び給電回路（２４）を含み、前記鼾音収集回路（２１）及び前記警告注意回路（２３）のそれぞれが前記制御回路（２２）に電気的に接続され、前記給電回路（２４）は前記鼾音収集回路（２１）、前記制御回路（２２）及び前記警告注意回路（２３）のそれぞれに低圧直流電力を供給し、前記鼾音収集回路（２１）はその拡声器ＭＩＣ及び振動センサが採集した、ユーザーが睡眠中に発生させる音声や頭部の振動信号を処理した後で、それぞれを前記制御回路（２２）に送信し、前記制御回路（２２）はその受信した音声や振動信号が各々の閾値に達したと判定した場合に、鼾音を抑制するため、制御信号を前記耳栓（１２）内に位置する前記警告注意回路（２３）に送信して、ユーザーを起こさせない程度の音声、震動又は電極による刺激信号を発生させることを特徴とする電子鼾防止具。
【請求項２】
一端が耳栓（１２）に連通され、他端がユーザーの鼻口へ指される鼾音収集パイプ（１３）を更に含み、前記拡声器ＭＩＣは前記鼾音収集パイプ（１３）内に位置することを特徴とする請求項１に記載の電子鼾防止具。
【請求項３】
前記鼾音収集回路（２１）は前記拡声器ＭＩＣを中心とする音声採集回路（２１０）及び前記振動センサを中心とする振動採集回路（２１１）を含み、
前記音声採集回路（２１０）は第１、第２の低周波フィルタ回路（２１０１、２１０２）及び第１の演算増幅回路（２０１３）を含み、前記拡声器ＭＩＣは収集した音声を電気信号に変換し、前記第１の低周波フィルタ回路（２１０１）に送信してフィルタリングを行った後で前記第１の演算増幅回路（２０１３）に送信して増幅処理を行い、更に前記第２の低周波フィルタ回路（２１０２）に送信してフィルタリングを行った後で前記制御回路（２２）に送信し、
前記振動センサは３軸加速度センサ集積回路Ｕ１２であり、前記振動採集回路（２１１）の前記３軸加速度センサ集積回路Ｕ１２は感知した振動信号を電気信号に変換して前記制御回路（２２）に送信することを特徴とする請求項１に記載の電子鼾防止具。
【請求項４】
前記警告注意回路（２３）は、前記制御回路（２２）に電気的にそれぞれ接続される音声刺激回路（２３１）、震動刺激回路（２３２）及び電極刺激回路（２３３）を含み、前記制御回路（２２）はパルス信号を伝送して、前記音声刺激回路（２３１）のスピーカーＢＬ１、前記震動刺激回路（２３２）の震動電動機Ｔ１又は前記電極刺激回路（２３３）の電撃シートＰ１を、音声、震動又は電極による刺激信号を発生させるように誘発することを特徴とする請求項１に記載の電子鼾防止具。
【請求項５】
前記音声採集回路（２１０）は第２の演算増幅回路（２１０４）を更に含み、前記第２の低周波フィルタ回路（２１０２）によりフィルタリングされた電気信号は、前記制御回路（２２）に送信されるだけではなく、前記第２の演算増幅回路（２０１４）にも送信されて増幅された後に、更に前記制御回路（２２）に送信されることを特徴とする請求項３に記載の電子鼾防止具。
【請求項６】
本体（１）及びその内部に収納される作業モジュール（２）を含み、前記本体（１）にユーザーの耳介にかけられるための耳掛け（１１）及びユーザーの耳孔に入れることが可能な耳栓（１２）が設けられる電子鼾防止具の鼾防止方法であって、
前記作業モジュール（２）が、ユーザーの睡眠中に発生させる音声やその頭部の振動を採集する工程Ａと、
前記作業モジュール（２）が、採集した音声が音声閾値以上であり、採集した振動も振動閾値以上であると判定した場合に、ユーザーを起こさせない程度の刺激音声、震動又は電極刺激信号モデルの１つを発生させ、前記耳栓（１２）を通してユーザーに刺激を与える工程Ｂと、
前記作業モジュール（２）が、ユーザーが睡眠中に発生させる音声及びその頭部の振動を再び採集し、採集した音声が依然として音声閾値以上であり、採集した振動が振動閾値に達したと判定した場合に、元の刺激信号モデルの強度を向上させ、又は刺激信号モデルを変更し、採集した音声が予め設定した音声閾値より小さく又は採集した振動が振動閾値より小さいと判定した場合に、前記工程Ａに戻す工程Ｃと、
を備える電子鼾防止具の鼾防止方法。
【請求項７】
前記作業モジュール（２）が、採集した音声が前記音声閾値以上であり、採集した振動も前記振動閾値以上であると判定した場合に、鼾音の回数、鼾音のデータ及び／又は振動データを一度記録することを更に備えることを特徴とする請求項６に記載の鼾防止方法。
【請求項８】
前記作業モジュール（２）が、採集した音声が前記音声閾値より小さく、又は採集した振動が前記振動閾値より小さい場合に、鼾声防止回数として一度記録することを更に備えることを特徴とする請求項６に記載の鼾防止方法。
【請求項９】
前記音声閾値は、１分間に６０ｄＢが３回以上となるように設定され、又は予めユーザーの鼾音を録音し分析することで得られた経験値に設定されることを特徴とする請求項６に記載の鼾防止方法。
【請求項１０】
前記作業モジュール（２）は、鼾音収集回路（２１）、マイクロプロセッサＵ２を中心とする制御回路（２２）、警告注意回路（２３）及び給電回路（２４）を含み、前記鼾音収集回路（２１）及び前記警告注意回路（２３）のそれぞれが前記制御回路（２２）に電気的に接続され、前記給電回路（２４）が前記鼾音収集回路（２１）、前記制御回路（２２）及び前記警告注意回路（２３）のそれぞれに給電し、前記鼾音収集回路（２１）がその拡声器ＭＩＣ及び振動センサによって、ユーザーが睡眠中に発生させる音声や頭部の振動信号を採集することを特徴とする請求項６に記載の鼾防止方法。
【請求項１１】
一端が耳栓（１２）に連通され、他端がユーザーの鼻口へ指される鼾音収集パイプ（１３）を設けることを更に備え、少なくとも前記作業モジュール（２）の拡声器ＭＩＣが前記鼾音収集パイプ（１３）内に置かれ、ユーザーが睡眠中に発する音声を近距離で収集するようになる請求項６に記載の鼾防止方法。
【請求項１２】
前記鼾音収集回路（２１）は、前記拡声器ＭＩＣを中心とする音声採集回路（２１０）及び前記振動センサを中心とする振動採集回路（２１１）を含み、
前記音声採集回路（２１０）は、第１、第２の低周波フィルタ回路（２１０１、２１０２）及び第１の演算増幅回路（２１０３）を含み、前記拡声器ＭＩＣは収集した音声を電気信号に変換し、前記第１の低周波フィルタ回路（２１０１）に送信してフィルタリングを行った後で前記第１の演算増幅回路（２１０３）に送信して増幅処理を行い、更に前記第２の低周波フィルタ回路（２１０２）に送信してフィルタリングを行った後で前記制御回路（２２）に送信し、
前記振動センサは、３軸加速度センサ集積回路Ｕ１２であり、前記振動採集回路（２１１）の前記３軸加速度センサ集積回路Ｕ１２は感知した振動信号を電気信号に変換して前記制御回路（２２）に送信することを特徴とする請求項１０に記載の鼾防止方法。
【発明の詳細な説明】
【技術分野】
【０００１】
本発明は、鼾を防止する器具に関し、特に、耳部に用いられる電子式鼾防止具及び鼾防止方法に関する。
【背景技術】
【０００２】
人類は、３０％以上の時間を睡眠で過ごし、人の精神状態や身体の健康は睡眠の質の良さに直接依存している。多くの人は、睡眠中に鼾をかき、その鼾は自分の睡眠の質にも、他人の睡眠の質にも影響を与える。睡眠時に鼾をかく人たちの痛苦を解消し、及び鼾による各種の身心の疾病を防止するため、睡眠時の鼾を止めるための機械式や電子式の鼾防止具が開発されている。従来技術の電子式鼾防止具として、例えば、「スマート型鼾防止具」という中国実用新案第ＺＬ２０１２２０２９０５５５．０号明細書には、ユーザーの腕首にかけられて、ユーザーの睡眠時の音声を検知し、ユーザーの睡眠時の鼾音が特定の強度に達したことを検出した場合に、ユーザーの腕首に位置する鼾防止具がパルス信号を発信し、そのパルス信号をユーザーの腕を介して中枢神経に伝送して刺激を与え、ユーザーを起こさずに寝姿を変えさせて、鼾音の抑制・減少効果を達成する電子鼾防止具が開示されている。しかしながら、この鼾防止具は、ユーザーの腕首に位置し、口腔や鼻腔から遠く離れている。また、睡眠中に手の位置がよく変わるので、手が布団の中にある場合、鼾音を収集できない可能性がある。言うまでもなく、このような鼾防止具は、鼾音の発生位置から遠く離れ、収集した音声に外部のノイズが多く含まれ、誤判断しがちである。また、この鼾防止具が発信したパルス刺激信号は腕を通して中枢神経に伝わる。このような、電流でユーザーの腕を刺激して呼吸を調整させる形態では、もちろん、その効果が理想的ではない。なお、従来技術の腕首にかけられた鼾防止具は、患者の鼾防止効果をリアルタイムに測定しないので、長時間作用のフィードバックメカニズムを形成できない。
【発明の概要】
【発明が解決しようとする課題】
【０００３】
本発明は上記従来技術の不足を避けるための電子鼾防止具及び鼾防止方法を提供し、従来技術の鼾防止具の鼾音の判定が不正確、鼾の声の止め効果が顕著ではない等の問題を解決する。
【課題を解決するための手段】
【０００４】
本発明は、本体及びその内部に収納される作業モジュールを含む電子鼾防止具において、特に、前記本体は、ユーザーの耳介にかけられるための耳掛け及び耳孔に入れられるための耳栓を含み、前記耳掛けと前記耳栓とは一体としてつながり、前記作業モジュールは前記耳掛けと前記耳栓による内腔の中に位置し、前記作業モジュールは、鼾音収集回路、マイクロプロセッサＭＣＵを中心とする制御回路、警告注意回路及び給電回路を含み、前記鼾音収集回路及び前記警告注意回路のそれぞれが前記制御回路に電気的に接続され、前記給電回路は前記鼾音収集回路、前記制御回路及び前記警告注意回路のそれぞれに低圧直流電力を供給し、前記鼾音収集回路はその拡声器ＭＩＣ及び振動センサが採集した、ユーザーが睡眠中に発生させる音声や頭部の振動信号を処理した後で、それぞれを前記制御回路に送信し、前記制御回路はその受信した音声や振動信号が各々の閾値に達したと判定した場合に、鼾音を抑制するため、制御信号を前記耳栓内に位置する前記警告注意回路に送信して、ユーザーを起こさせない程度の音声、震動又は電極による刺激信号を発生させる電子鼾防止具を提供する。
【０００５】
より好ましくは、前記電子鼾防止具は、一端が耳栓に連通され、他端がユーザーの鼻口へ指される鼾音収集パイプを更に含み、前記拡声器ＭＩＣは前記鼾音収集パイプ内に位置する。
【０００６】
前記鼾音収集回路は前記拡声器ＭＩＣを中心とする音声採集回路及び前記振動センサを中心とする振動採集回路を含み、前記音声採集回路は第１、第２の低周波フィルタ回路及び第１の演算増幅回路を含み、前記拡声器ＭＩＣは収集した音声を電気信号に変換し、前記第１の低周波フィルタ回路に送信してフィルタリングを行った後で前記第１の演算増幅回路に送信して増幅処理を行い、更に前記第２の低周波フィルタ回路に送信してフィルタリングを行った後で前記制御回路に送信し、前記振動センサは３軸加速度センサ集積回路Ｕ１２であり、前記振動採集回路の前記３軸加速度センサ集積回路Ｕ１２は感知した振動信号を電気信号に変換して前記制御回路に送信する。
【０００７】
前記警告注意回路は、前記制御回路に電気的にそれぞれ接続される音声刺激回路、震動刺激回路及び電極刺激回路を含み、前記制御回路はパルス信号を伝送して、前記音声刺激回路のスピーカーＢＬ１、前記震動刺激回路の震動電動機Ｔ１又は前記電極刺激回路の電撃シートＰ１を、音声、震動又は電極による刺激信号を発生させるように誘発する。
【０００８】
前記音声採集回路は第２の演算増幅回路を更に含み、前記第２の低周波フィルタ回路によりフィルタリングされた電気信号は、前記制御回路に送信されるだけではなく、前記第２の演算増幅回路にも送信されて増幅された後に、更に前記制御回路に送信される。
【０００９】
本発明は、本体及びその内部に収納される作業モジュールを含み、前記本体にユーザーの耳介にかけられるための耳掛け及びユーザーの耳孔に入れることが可能な耳栓が設けられる電子鼾防止具の鼾防止方法であって、
前記作業モジュールが、ユーザーが睡眠中に発生させる音声やその頭部の振動を採集する工程Ａと、
前記作業モジュールが、採集した音声が音声閾値以上であり、採集した振動も振動閾値以上であると判定した場合に、ユーザーを起こさせない程度の刺激音声、震動又は電極刺激信号モデルの１つを発生させ、前記耳栓を通してユーザーに刺激を与える工程Ｂと、
前記作業モジュールが、ユーザーが睡眠中に発生させる音声及びその頭部の振動を再び採集し、採集した音声が依然として前記音声閾値以上であり、採集した振動が前記振動閾値に達したと判定した場合に、元の刺激信号モデルのレベルを向上させ、又は刺激信号モデルを変更し、採集した音声が予め設定した前記音声閾値より小さく又は採集した振動が前記振動閾値より小さいと判定した場合に、前記工程Ａに戻す工程Ｃと、
を備える電子鼾防止具の鼾防止方法を更に提供する。
【００１０】
前記方法は、前記作業モジュールが、採集した音声が前記音声閾値以上であり、採集した振動も前記振動閾値以上であると判定した場合に、鼾音の回数、鼾音のデータ及び／又は振動データを一度記録することを更に備える。
【００１１】
前記方法は、前記作業モジュールが、採集した音声が前記音声閾値より小さく、又は採集した振動が前記振動閾値より小さい場合に、鼾声防止回数として一度記録することを更に備える。
【００１２】
前記音声閾値は、１分間に６０ｄＢが３回以上となるように設定され、又は予めユーザーの鼾音を録音し分析することで得られた経験値に設定される。
【００１３】
前記作業モジュールは、鼾音収集回路、マイクロプロセッサＭＣＵを中心とする制御回路、警告注意回路及び給電回路を含み、前記鼾音収集回路及び前記警告注意回路のそれぞれが前記制御回路に電気的に接続され、前記給電回路が前記鼾音収集回路、前記制御回路及び前記警告注意回路のそれぞれに給電し、前記鼾音収集回路がその拡声器ＭＩＣ及び振動センサによって、ユーザーが睡眠中に発生させる音声や頭部の振動信号を採集する。
【００１４】
前記方法は、一端が耳栓に連通され、他端がユーザーの鼻口へ指される鼾音収集パイプを設けることを更に備え、前記作業モジュールの拡声器ＭＩＣが前記鼾音収集パイプ内に置かれ、ユーザーが睡眠中に発する音声を近距離で収集するようになる。
【００１５】
前記鼾音収集回路は、前記拡声器ＭＩＣを中心とする音声採集回路及び前記振動センサを中心とする振動採集回路を含み、前記音声採集回路は、第１、第２の低周波フィルタ回路及び第１の演算増幅回路を含み、前記拡声器ＭＩＣは収集した音声を電気信号に変換し、前記第１の低周波フィルタ回路に送信してフィルタリングを行った後で前記第１の演算増幅回路に送信して増幅処理を行い、更に前記第２の低周波フィルタ回路に送信してフィルタリングを行った後で前記制御回路に送信し、前記振動センサは、３軸加速度センサ集積回路Ｕ４であり、前記振動採集回路の前記３軸加速度センサ集積回路Ｕ４は感知した振動信号を電気信号に変換して前記制御回路に送信する。
【発明の効果】
【００１６】
従来技術に比べて、本発明は、電子式耳栓型の低消費電力の電子回路によって患者の鼾音をリアルタイムに検知し、鼾音の収集位置が患者の口腔及び鼻腔に近いため、患者の鼾音及び鼾音時の頭部振動を非常に正確に収集する。本発明は、環境音声の妨害を効果的に低下させており、鼾音の正確な分析・判断に精確な根拠を与えることができる。本発明は、患者に多種の妨害信号を発信して患者の睡眠過程を刺激し、刺激効果をリアルタイムに検査しており、鼾防止効果を達成して患者に質のよい睡眠を達成させることができる。
【図面の簡単な説明】
【００１７】
【図１】本発明の電子鼾防止具及び鼾防止方法の好適な実施例における電子鼾防止具の軸測投影模式図である。
【図２】前記好適な実施例の電子鼾防止具の各部材を分離した状態を示す軸測投影模式図である。
【図３】前記好適な実施例における電子鼾防止具の作業モジュール２の構造模式図である。
【図４】前記好適な実施例における作業モジュール２の電子鼾音収集回路２１の回路原理を示す模式図である。
【図５】前記好適な実施例における作業モジュール２の制御回路２２の回路原理を示す模式図である。
【図６】前記好適な実施例における作業モジュール２の警告注意回路２３の回路原理を示す模式図である。
【図７】前記好適な実施例における作業モジュール２の給電回路２４の回路原理を示す模式図である。
【図８】前記好適な実施例における作業モジュール２の状態指示回路２５の回路原理を示す模式図である。
【図９】前記好適な実施例の電子鼾防止具のフローチャートを示す。
【発明を実施するための形態】
【００１８】
以下、添付図面に示す好適な実施例に合わせて、本発明を更に説明する。
【００１９】
図１〜３を参照して、本発明の好適な実施例は、本体及びその内部に収納される作業モジュールを含む電子鼾防止具において、前記本体１がユーザーの耳介にかけられるための耳掛け１１、及び耳孔に入れられるための耳栓１２を含み、前記耳掛け１１と耳栓１２とが一体としてつながり、前記作業モジュール２が前記耳掛け１１と耳栓１２による内腔の中に位置する電子鼾防止具である。図３を参照して、前記作業モジュール２は、鼾音収集回路２１、マイクロプロセッサＭＣＵを中心とする制御回路２２、警告注意回路２３及び給電回路２４を含む。前記鼾音収集回路２１及び警告注意回路２３はそれぞれ制御回路２２に電気的に接続され、前記給電回路２４はそれぞれ鼾音収集回路２１、制御回路２２及び警告注意回路２３に低圧直流電力を供給する。前記鼾音収集回路２１はその拡声器ＭＩＣ及び振動センサが採集した、ユーザーが睡眠中に発生させる音声や頭部の振動信号を処理した後で、それぞれ制御回路２２に送信する。前記制御回路２２はその受信した音声や振動信号が各々の閾値に達したと判定した場合に、鼾音を抑制するため、制御信号を前記耳栓１２内に位置する警告注意回路２３に送信して、ユーザーを起こさせない程度の音声、震動又は電極による刺激信号を発生させる。
【００２０】
図２を参照して、本実施例において、本体１に、一端が耳栓１２に連通され、他端がユーザーの鼻口へ指される鼾音収集パイプ１３が更に設けられる。前記鼾音収集回路２１の拡声器ＭＩＣは鼾音収集パイプ１３内に位置する。これにより、人が寝る場合に発する鼾音を近距離で精確に収集することができる。
【００２１】
図４を参照して、前記鼾音収集回路２１は前記拡声器ＭＩＣを中心とする音声採集回路２１０及び前記振動センサを中心とする振動採集回路２１１を含む。前記音声採集回路２１０は第１、第２の低周波フィルタ回路２１０１、２１０２及び第１の演算増幅回路２１０３を含み、前記拡声器ＭＩＣは収集した音声を電気信号に変換して、第１の低周波フィルタ回路２１０１に送信してフィルタリングを行った後で第１の演算増幅回路２１０３に送信して増幅処理を行い、更に第２の低周波フィルタ回路２１０２に送信してフィルタリングを行った後で制御回路２２に送信する。前記振動センサは、３軸加速度センサ集積回路Ｕ１２であり、前記振動採集回路２１１の３軸加速度センサ集積回路Ｕ１２は感知した振動信号を電気信号に変換して前記制御回路２２に送信する。前記制御回路２２は、その受信した音声や振動が各々の閾値に達するかを判定し、またユーザーが鼾をかく状態にあるかを判定する。１分間に６０ｄＢの音声が３回以上となると共に、振動が設定したある閾値に達すると、鼾音として確認する。より良い効果を達するために、本実施例の音声採集回路２１０に第２の演算増幅回路２１０４が更に設けられる必要がある。つまり、第２の低周波フィルタ回路２１０２によりフィルタリングされた電気信号は、制御回路２２に保存された鼾音経験値と比較されて、ユーザーの鼾音であるかが判定されるように、制御回路２２に送信されるだけではなく、前記第２の演算増幅回路２１０４にも送信されて増幅され、更に前記制御回路２２に送信される。前記経験値は、予めユーザーの鼾音を録音し分析することで得られる。
【００２２】
図５を参照して、本実施例における制御回路２２は、マイクロプロセッサ集積回路Ｕ４を中心として構成される。マイクロプロセッサ集積回路Ｕ４は、鼾音収集回路２１から送信された音声や振動信号を分析して鼾をかいていると確認すると、警告信号を注意回路２３に送信して、鼾をかく者に刺激を与える。警告モデルには、音声警告、震動警告、電極刺激警告がある。本実施例において、警告は、昇順で４つのレベルに分けられ、鼾音が停止するまで、３つの鼾音毎に１つのレベルが増える。
【００２３】
図６を参照して、本実施例において、警告注意回路２３は、それぞれ前記制御回路２２に電気的に接続される音声刺激回路２３１、震動刺激回路２３１及び電極刺激回路２３１を含む。制御回路２２はパルス信号を伝送して、前記音声刺激回路２３１のスピーカーＢＬ１、震動刺激回路２３１の震動電動機Ｔ１又は電極刺激回路２３１の電撃シートＰ１を、音声、震動又は電極による刺激信号を発生させるように誘発する。制御回路２２は、その伝送するパルス信号の幅に基づいて音声、震動及び電極の刺激強度を変える。本実施例における、警告注意の刺激信号モデルでは、音声、震動及び電極の順序に従って順次、刺激を与える。
【００２４】
図７を参照して、本実施例において、給電回路２４は、リチウムイオン電池ＤＣ及び電池充電回路２４０を含む。前記電池充電回路２４０の中に、ＵＳＢ規格に適合したコネクタが配置される。外部給電源は、リチウムイオン電池ＤＣを充電するように、このコネクタを介して前記リチウムイオン電池充回路に給電する。その同時に、前記ＵＳＢ規格によるコネクタも、外部とのデータ交換インタフェースとして、制御回路２２と電気的に接続される。
【００２５】
図８を参照して、本実施例の作業モジュール２には、作業状態表示回路２５が更に設けられる。この回路は複数のダイオードからなり、前記電子鼾防止具の各種の作業状態を表示することに用いられる。
【００２６】
図９を参照して、本実施例の電子鼾防止具の作業フローは、
前記作業モジュール２が、ユーザーが睡眠中に発生させる音声やその頭部の振動を採集する工程Ａと、
前記作業モジュール２が、採集した音声が音声閾値以上であり、採集した振動も振動閾値以上であると判定した場合に、ユーザーを起こさせない程度の刺激音声、震動又は電極刺激信号モデルの１つを発生させ、耳栓１２を通してユーザーに刺激を与えると共に、鼾音の回数、鼾音のデータ及び／又は振動データを一度記録する工程Ｂと、
前記作業モジュール２が、ユーザーが睡眠中に発生させる音声及びその頭部の振動を再び採集し、採集した音声が依然として音声閾値以上であり、採集した振動も振動閾値に達すると判定した場合に、元の刺激信号モデルのレベルを向上させ、又は刺激信号モデルを変更し、採集した音声が予め設定した音声閾値より小さく又は採集した振動が振動閾値より小さいと判定した場合に、工程Ａに戻して、鼾声防止回数として一度記録する工程Ｃと、
を備える。
【００２７】
本実施例において、実施回路の主要な部品は、下記の通りである。
【００２８】
【表１】
2016530033.tif 000003
【００２９】
本実施例の電子鼾防止具は、使用時に耳に置かれるので、鼾音収集回路が人体の鼾音の音源である口腔・鼻腔に近く、人が寝る場合に発する鼾音を精確に収集することができる。電子鼾防止具は、先進的なデジタル音声モデル識別技術の適用に合わせて、音声採集回路、及び３軸加速度センサを中心とする振動採集回路によってリアルタイムに測定しており、刺激や干渉の実施基礎を固めると共に、刺激効果の測定の頼りになる根拠を提供する。患者が鼾をかいていると正確に判断すると、制御回路は、鼾モデルに刺激信号を送信し、患者に異なる強度の刺激を与えるように作動部分を刺激し、また、患者の睡眠が正常になり、鼾音が消えるまで、マイクやセンサによって更に収集される鼾防止効果のフィードバックを記録する。
【００３０】
本発明の技術案を採用すれば、医者が患者のいびきを診断する場合の参考として、ユーザーの鼾音の回数、鼾音の強弱及び密度を記録し、患者の治療方針の判定にとって正確且つ科学的な根拠を提供することができる。
【図１】
2016530033.tif 000004
【図２】
2016530033.tif 000005
【図３】
2016530033.tif 000006
【図４】
2016530033.tif 000007
【図５】
2016530033.tif 000008
【図６】
2016530033.tif 000009
【図７】
2016530033.tif 000010
【図８】
2016530033.tif 000011
【図９】
2016530033.tif 000012
【国際調査報告】
2016530033.tif 000013
2016530033.tif 000014
2016530033.tif 000015
2016530033.tif 000016
2016530033.tif 000017
2016530033.tif 000018
2016530033.tif 000019
2016530033.tif 000020